(57)【要約】【課題】ユーザをガイドして車両を簡単で正確に駐車でき、ユーザの利用の意欲を増加できる逆転駐車指揮システムの逆転駐車ガイド方法を提供する。【解決手段】車両をガイドして逆転駐車作業を補助し、車両側面撮影ユニット３０と、変位測定ユニット５０と、表示ユニット４０と、最適逆転経路計算ソフトウェア２０がビルトインされたＣＰＵ１０と、を含む逆転駐車指揮システムの逆転駐車ガイド方法において、直接な測定又は見込みにより、車両と隣接車両との距離を得て、車両の仕様と駐車スペースの幅とに合せて、最適な逆転駐車経路を算出して、ユーザをガイドして車両を正確な起点に移動して、車両を転向して屈折点に逆転し、最後にハンドルを逆転して車両を逆転する。車両を転向する操作は、ハンドルを限界まで回転するだけであるため、極めて簡単である。【選択図】図１
2014043153.tif 000002
【特許請求の範囲】
【請求項１】
車両をガイドして逆転駐車作業を補助し、車両側面撮影ユニットと、変位測定ユニットと、表示ユニットと、最適逆転経路計算ソフトウェアがビルトインされたＣＰＵと、を含む逆転駐車指揮システムの逆転駐車ガイド方法において、
前記逆転駐車ガイド方法は、
前記逆転駐車指揮システムを起動するステップと、
前記表示ユニットにより前記車両側面撮影ユニットによって撮影した映像を表示し、前記表示ユニットは、更に、移動できる予定駐車位置を表示でき、ユーザは最適な予定駐車位置を移動して選択できるステップと、
前記ＣＰＵは、前記予定駐車位置と前記車両の仕様とによって、最適逆転駐車経路を算出し、前記最適逆転駐車経路は屈折点と終了点とを有し、前記表示ユニットにより、ユーザは、ガイドされてハンドルを限界まで回転して、前記車両を逆転するステップと、
前記車両が移動しているときには、前記変位測定ユニットにより、前記車両の実際の逆転行進経路を見込めて、実際の逆転行進経路と前記逆転駐車経路を対比して、前記車両が前記屈折点に到着したときに、前記表示ユニットにより、ユーザは、ガイドされてハンドルを限界まで逆転して、前記車両を逆転するステップと、
前記車両が移動しているときには、前記変位測定ユニットにより、前記車両の実際の逆転行進経路を持続に見込めて、実際の逆転行進経路と前記逆転駐車経路を持続に対比して、前記車両が前記終了点に到着したときに、前記逆転駐車指揮システムをオフするステップと、を含むことを特徴とする逆転駐車指揮システムの逆転駐車ガイド方法。
【請求項２】
前記変位測定ユニットは、ユーザがガイドに従って前記車両を移動しているかを検知して、ユーザがガイドに従って前記車両を移動していない場合には、前記駐車指揮システムをオフすることを特徴とする、請求項１に記載の逆転駐車指揮システムの逆転駐車ガイド方法。
【請求項３】
前記逆転駐車指揮システムは、更に、発声ユニットを含み、前記変位測定ユニットにより、前記車両が前記屈折点に到着したと検知する時点で、前記発声ユニットにより音声が発生してユーザを警告することを特徴とする、請求項１に記載の逆転駐車指揮システムの逆転駐車ガイド方法。
【請求項４】
前記表示ユニットによるガイドは予告提示であり、前記予告提示は、数字をカウントダウンし、又はバーを減少することにより、ユーザに知らせることを特徴とする、請求項１に記載の逆転駐車指揮システムの逆転駐車ガイド方法。
【請求項５】
前記変位測定ユニットは、車両速度測定装置、又はジャイロスコープであることを特徴とする、請求項１に記載の逆転駐車指揮システムの逆転駐車ガイド方法。
【請求項６】
前記逆転駐車指揮システムは、更に、ハンドル角度測定ユニットを含み、前記ハンドル角度測定ユニットは、ユーザがガイドに従ってハンドルを回転しない場合に、設定値を超えると前記逆転駐車指揮システムをオフすることを特徴とする、請求項１に記載の逆転駐車指揮システムの逆転駐車ガイド方法。
【請求項７】
前記表示ユニットには、予定駐車位置が複数に表示され、ユーザはこれらの前記予定駐車位置のうちの一つを選択できることを特徴とする、請求項１に記載の逆転駐車指揮システムの逆転駐車ガイド方法。
【請求項８】
前記表示ユニットに表示される前記予定駐車位置は、前記表示ユニットにおいて、移動できることを特徴とする、請求項１に記載の逆転駐車指揮システムの逆転駐車ガイド方法。
【請求項９】
車両をガイドして逆転駐車作業を補助し、車両側面撮影ユニットと、変位測定ユニットと、表示ユニットと、最適逆転経路計算ソフトウェアがビルトインされたＣＰＵと、を含む逆転駐車指揮システムの逆転駐車ガイド方法において、
前記逆転駐車ガイド方法は、
前記逆転駐車指揮システムを起動するステップと、
前記表示ユニットにより前記車両側面撮影ユニットによって撮影した映像を表示し、前記表示ユニットは、更に、移動できる予定駐車位置と、障害境界ラインと、を表示でき、ユーザは最適な予定駐車位置を移動して選択できるステップと、
前記ＣＰＵは、前記予定駐車位置と前記車両の仕様とによって、最適逆転駐車経路を算出し、前記最適逆転駐車経路は屈折点と終了点とを有し、前記表示ユニットに前記障害境界ラインを表示するステップと、
前記車両が前記障害境界ラインに到着して隣接車両の尾部と重ねた後、ユーザが開始ボタンを押圧して、前記表示ユニットにより、ユーザは、ガイドされて前記ハンドルを限界まで回転して、前記車両を逆転するステップと、
前記車両が移動しているときには、前記変位測定ユニットにより、前記車両の実際の逆転行進経路を見込めて、実際の逆転行進経路と前記逆転駐車経路を対比して、前記車両が前記屈折点に到着したときに、前記表示ユニットにより、ユーザは、ガイドされてハンドルを限界まで逆転して、前記車両を持続に逆転するステップと、
前記車両が移動しているときには、前記変位測定ユニットにより、前記車両の実際の逆転行進経路を持続に見込めて、実際の逆転行進経路と前記逆転駐車経路を持続に対比して、前記車両が前記終了点に到着したときに、前記逆転駐車指揮システムをオフするステップと、を含むことを特徴とする逆転駐車指揮システムの逆転駐車ガイド方法。
【請求項１０】
ユーザが最適な予定駐車位置を移動して選択するときには、障害境界ラインにより、障害境界ラインが隣接車両の後車輪と重ねることはいけないということをユーザに気付かせることを特徴とする、請求項９に記載の逆転駐車指揮システムの逆転駐車ガイド方法。
【請求項１１】
前記表示ユニットには、予定駐車位置が複数に表示され、ユーザはこれらの前記予定駐車位置のうちの一つを選択できることを特徴とする、請求項９に記載の逆転駐車指揮システムの逆転駐車ガイド方法。
【請求項１２】
前記表示ユニットに表示される前記予定駐車位置は、前記表示ユニットにおいて、移動できることを特徴とする、請求項９に記載の逆転駐車指揮システムの逆転駐車ガイド方法。
【請求項１３】
前記変位測定ユニットは、ユーザがガイドに従って前記車両を移動しているかを検知して、ユーザがガイドに従って前記車両を移動していない場合には、前記駐車指揮システムをオフすることを特徴とする、請求項９に記載の逆転駐車指揮システムの逆転駐車ガイド方法。
【請求項１４】
前記逆転駐車指揮システムは、更に、発声ユニットを含み、前記変位測定ユニットにより、前記車両が前記屈折点に到着したと検知する時点で、前記発声ユニットにより音声が発生してユーザを警告することを特徴とする、請求項９に記載の逆転駐車指揮システムの逆転駐車ガイド方法。
【請求項１５】
前記表示ユニットによるガイドは予告提示であり、前記予告提示は、数字をカウントダウンし、又はバーを減少することにより、ユーザに知らせることを特徴とする、請求項９に記載の逆転駐車指揮システムの逆転駐車ガイド方法。
【請求項１６】
前記変位測定ユニットは、車両速度測定装置、又はジャイロスコープであることを特徴とする、請求項９に記載の逆転駐車指揮システムの逆転駐車ガイド方法。
【請求項１７】
前記逆転駐車指揮システムは、更に、ハンドル角度測定ユニットを含み、前記ハンドル角度測定ユニットは、ユーザがガイドに従ってハンドルを回転しない場合に、設定値を超えると前記逆転駐車指揮システムをオフすることを特徴とする、請求項９に記載の逆転駐車指揮システムの逆転駐車ガイド方法。
【請求項１８】
車両をガイドして逆転駐車作業を補助し、車両側面撮影ユニットと、変位測定ユニットと、表示ユニットと、距離測定ユニットと、最適逆転経路計算ソフトウェアがビルトインされたＣＰＵと、を含む逆転駐車指揮システムの逆転駐車ガイド方法において、
前記逆転駐車ガイド方法は、
前記逆転駐車指揮システムを起動するステップ１と、
前記表示ユニットにより前記車両側面撮影ユニットによって撮影した映像を表示し、前記距離測定ユニットにより、前記車両と隣接車両との間の距離を算出するステップ２と、
前記ＣＰＵは、前記距離測定ユニットによって算出する前記車両と隣接車両との間の距離と、前記車両の仕様とによって、最適逆転駐車経路を算出し、前記最適逆転駐車経路は、障害境界ラインと、屈折点と、終了点と、を有し、前記表示ユニットに前記障害境界ラインを表示するステップ３と、
前記車両が前記障害境界ラインに到着して隣接車両の尾部と重ねた後、ユーザが開始ボタンを押圧して、前記表示ユニットにより、ユーザは、ガイドされて前記ハンドルを限界まで回転して、前記車両を逆転するステップ４と、
前記車両が移動しているときには、前記変位測定ユニットにより、前記車両の実際の逆転行進経路を見込めて、実際の逆転行進経路と前記逆転駐車経路を対比して、前記車両が前記屈折点に到着したときに、前記表示ユニットにより、ユーザは、ガイドされてハンドルを限界まで逆転して、前記車両を持続に逆転するステップ５と、
前記車両が移動しているときには、前記変位測定ユニットにより、前記車両の実際の逆転行進経路を持続に見込めて、実際の逆転行進経路と前記逆転駐車経路を持続に対比して、前記車両が前記終了点に到着したときに、前記逆転駐車指揮システムをオフするステップ６と、を含むことを特徴とする逆転駐車指揮システムの逆転駐車ガイド方法。
【請求項１９】
ステップ３において、前記表示ユニットには、更に、移動できる予定駐車位置が表示され、ユーザは最適な予定駐車位置を選択して移動でき、前記ＣＰＵは、前記予定駐車位置と前記車両の仕様とによって、最適逆転駐車経路を算出し、前記最適逆転駐車経路は、屈折点と、終了点と、障害境界ラインと、を有し、前記表示ユニットに前記障害境界ラインが表示されることを特徴とする、請求項１８に記載の逆転駐車指揮システムの逆転駐車ガイド方法。
【請求項２０】
ユーザが最適な予定駐車位置を移動して選択するときには、前記障害境界ラインにより、前記障害境界ラインが隣接車両の後車輪と重ねることはいけないということをユーザに気付かせることを特徴とする、請求項１９に記載の逆転駐車指揮システムの逆転駐車ガイド方法。
【請求項２１】
前記表示ユニットに表示される前記予定駐車位置は、前記表示ユニットにおいて、移動できることを特徴とする、請求項１９に記載の逆転駐車指揮システムの逆転駐車ガイド方法。
【請求項２２】
前記表示ユニットには、予定駐車位置が複数に表示され、ユーザはこれらの前記予定駐車位置のうちの一つを選択できることを特徴とする、請求項１９に記載の逆転駐車指揮システムの逆転駐車ガイド方法。
【請求項２３】
前記変位測定ユニットは、ユーザがガイドに従って前記車両を移動しているかを検知して、ユーザがガイドに従って前記車両を移動していない場合には、前記駐車指揮システムをオフすることを特徴とする、請求項１８に記載の逆転駐車指揮システムの逆転駐車ガイド方法。
【請求項２４】
前記逆転駐車指揮システムは、更に、発声ユニットを含み、前記変位測定ユニットにより、前記車両が前記屈折点に到着したと検知する時点で、前記発声ユニットにより音声が発生してユーザを警告することを特徴とする、請求項１８に記載の逆転駐車指揮システムの逆転駐車ガイド方法。
【請求項２５】
前記表示ユニットによるガイドは予告提示であり、前記予告提示は、数字をカウントダウンし、又はバーを減少することにより、ユーザに知らせることを特徴とする、請求項１８に記載の逆転駐車指揮システムの逆転駐車ガイド方法。
【請求項２６】
前記変位測定ユニットは、車両速度測定装置、又はジャイロスコープであることを特徴とする、請求項１８に記載の逆転駐車指揮システムの逆転駐車ガイド方法。
【請求項２７】
前記逆転駐車指揮システムは、更に、ハンドル角度測定ユニットを含み、前記ハンドル角度測定ユニットは、ユーザがガイドに従ってハンドルを回転しない場合に、設定値を超えると前記逆転駐車指揮システムをオフすることを特徴とする、請求項１８に記載の逆転駐車指揮システムの逆転駐車ガイド方法。
【発明の詳細な説明】
【技術分野】
【０００１】
本発明は、駐車ガイド方法に関し、特にユーザをガイドして車両を簡単で正確に駐車でき、ユーザの利用の意欲を増加できる逆転駐車指揮システムの逆転駐車ガイド方法に関するものである。
【背景技術】
【０００２】
車両の運転において、車両を逆転しながら駐車することは困難であるため、多くの車両逆転駐車用補助案内装置が開発されて市販している。従来の車両逆転駐車用補助案内装置は、車両の後方にレーダー探知機を取り付けて、車両の後方にある障害物を探知でき、或いは車両の後方にカメラを取り付けて、車両の後方の映像を撮影して、車両の後方の情報を車内のユーザに知らせる。カメラによって映像を撮影できる装置は、スクリーンに表示されるラインに合せることにより、駐車スペースに精確に駐車できる。しかし、従来の車両逆転駐車用補助案内装置は、ユーザに参考できる情報を提供するだけであり、ユーザの駐車に実際な助けを与えることができない。
【０００３】
このため、少数の高級車は自動駐車システムを搭載し、超音波により駐車スペースを測定して、駐車作業が車両に任せて、ユーザは、ブレーキを踏み込むだけで、駐車作業を完成できる。すなわち、このような自動駐車システムを利用すると、ユーザは実際の運転状況を無視しやすく、ひいては交通事故の発生の確率が増加する。そしてこのような自動駐車システムは、構成が極めて複雑であり、生産コストが高いため、このような自動駐車システムを利用するユーザが少ない。
【先行技術文献】
【特許文献】
【０００４】
【特許文献１】なし
【発明の概要】
【発明が解決しようとする課題】
【０００５】
本発明の主な目的は、ユーザをガイドして車両を簡単で正確に駐車でき、ユーザの利用の意欲を増加できる逆転駐車指揮システムの逆転駐車ガイド方法を提供することにある。
【課題を解決するための手段】
【０００６】
本発明の逆転駐車指揮システムの逆転駐車ガイド方法によると、車両をガイドして逆転駐車作業を補助し、車両側面撮影ユニットと、変位測定ユニットと、表示ユニットと、最適逆転経路計算ソフトウェアがビルトインされたＣＰＵと、を含む逆転駐車指揮システムの逆転駐車ガイド方法において、逆転駐車ガイド方法は、逆転駐車指揮システムを起動するステップと、表示ユニットにより車両側面撮影ユニットによって撮影した映像を表示し、表示ユニットは、更に、移動できる予定駐車位置を表示でき、ユーザは最適な予定駐車位置を移動して選択できるステップと、ＣＰＵは、予定駐車位置と車両の仕様とによって、最適逆転駐車経路を算出し、最適逆転駐車経路は屈折点と終了点とを有し、表示ユニットにより、ユーザは、ガイドされてハンドルを限界まで回転して車両を逆転するステップと、車両が移動しているときには、変位測定ユニットにより、車両の実際の逆転行進経路を見込めて、実際の逆転行進経路と逆転駐車経路を対比して、車両が屈折点に到着したときに、表示ユニットにより、ユーザは、ガイドされてハンドルを限界まで逆転して車両を逆転するステップと、車両が移動しているときには、変位測定ユニットにより、車両の実際の逆転行進経路を持続に見込めて、実際の逆転行進経路と逆転駐車経路を持続に対比して、車両が終了点に到着したときに、逆転駐車指揮システムをオフするステップと、を含むことを特徴とする。
【０００７】
本発明の逆転駐車指揮システムの逆転駐車ガイド方法によると、変位測定ユニットは、ユーザがガイドに従って車両を移動しているかを検知して、ユーザがガイドに従って車両を移動していない場合には、駐車指揮システムをオフすることを特徴とする。
【０００８】
本発明の逆転駐車指揮システムの逆転駐車ガイド方法によると、逆転駐車指揮システムは、更に、発声ユニットを含み、変位測定ユニットにより、車両が屈折点に到着したと検知する時点で、発声ユニットにより音声が発生してユーザを警告することを特徴とする。
【０００９】
本発明の逆転駐車指揮システムの逆転駐車ガイド方法によると、表示ユニットによるガイドは予告提示であり、予告提示は、数字をカウントダウンし、又はバーを減少することにより、ユーザに知らせることを特徴とする。
【００１０】
本発明の逆転駐車指揮システムの逆転駐車ガイド方法によると、変位測定ユニットは、車両速度測定装置、又はジャイロスコープであることを特徴とする。
【００１１】
本発明の逆転駐車指揮システムの逆転駐車ガイド方法によると、逆転駐車指揮システムは、更に、ハンドル角度測定ユニットを含み、ハンドル角度測定ユニットは、ユーザがガイドに従ってハンドルを回転しない場合に、設定値を超えると逆転駐車指揮システムをオフすることを特徴とする。
【００１２】
本発明の逆転駐車指揮システムの逆転駐車ガイド方法によると、表示ユニットには、予定駐車位置が複数に表示され、ユーザはこれらの予定駐車位置のうちの一つを選択できることを特徴とする。
【００１３】
本発明の逆転駐車指揮システムの逆転駐車ガイド方法によると、表示ユニットに表示される予定駐車位置は、表示ユニットにおいて、移動できることを特徴とする。
【００１４】
本発明の逆転駐車指揮システムの逆転駐車ガイド方法によると、車両をガイドして逆転駐車作業を補助し、車両側面撮影ユニットと、変位測定ユニットと、表示ユニットと、最適逆転経路計算ソフトウェアがビルトインされたＣＰＵと、を含む逆転駐車指揮システムの逆転駐車ガイド方法において、逆転駐車ガイド方法は、逆転駐車指揮システムを起動するステップと、表示ユニットにより車両側面撮影ユニットによって撮影した映像を表示し、表示ユニットは、更に、移動できる予定駐車位置と、障害境界ラインと、を表示でき、ユーザは最適な予定駐車位置を移動して選択できるステップと、ＣＰＵは、予定駐車位置と車両の仕様とによって、最適逆転駐車経路を算出し、最適逆転駐車経路は屈折点と終了点とを有し、表示ユニットに障害境界ラインを表示するステップと、車両が障害境界ラインに到着して隣接車両の尾部と重ねた後、ユーザが開始ボタンを押圧して、表示ユニットにより、ユーザは、ガイドされてハンドルを限界まで回転して、車両を逆転するステップと、車両が移動しているときには、変位測定ユニットにより、車両の実際の逆転行進経路を見込めて、実際の逆転行進経路と逆転駐車経路を対比して、車両が屈折点に到着したときに、表示ユニットにより、ユーザは、ガイドされてハンドルを限界まで逆転して、車両を持続に逆転するステップと、車両が移動しているときには、変位測定ユニットにより、車両の実際の逆転行進経路を持続に見込めて、実際の逆転行進経路と逆転駐車経路を持続に対比して、車両が終了点に到着したときに、逆転駐車指揮システムをオフするステップと、を含むことを特徴とする。
【００１５】
本発明の逆転駐車指揮システムの逆転駐車ガイド方法によると、ユーザが最適な予定駐車位置を移動して選択するときには、障害境界ラインにより、障害境界ラインが隣接車両の後車輪と重ねることはいけないということをユーザに気付かせることを特徴とする。
【００１６】
本発明の逆転駐車指揮システムの逆転駐車ガイド方法によると、表示ユニットには、予定駐車位置が複数に表示され、ユーザはこれらの予定駐車位置のうちの一つを選択できることを特徴とする。
【００１７】
本発明の逆転駐車指揮システムの逆転駐車ガイド方法によると、表示ユニットに表示される予定駐車位置は、表示ユニットにおいて、移動できることを特徴とする。
【００１８】
本発明の逆転駐車指揮システムの逆転駐車ガイド方法によると、変位測定ユニットは、ユーザがガイドに従って車両を移動しているかを検知して、ユーザがガイドに従って車両を移動していない場合には、駐車指揮システムをオフすることを特徴とする。
【００１９】
本発明の逆転駐車指揮システムの逆転駐車ガイド方法によると、逆転駐車指揮システムは、更に、発声ユニットを含み、変位測定ユニットにより、車両が屈折点に到着したと検知する時点で、発声ユニットにより音声が発生してユーザを警告することを特徴とする。
【００２０】
本発明の逆転駐車指揮システムの逆転駐車ガイド方法によると、表示ユニットによるガイドは予告提示であり、予告提示は、数字をカウントダウンし、又はバーを減少することにより、ユーザに知らせることを特徴とする。
【００２１】
本発明の逆転駐車指揮システムの逆転駐車ガイド方法によると、変位測定ユニットは、車両速度測定装置、又はジャイロスコープであることを特徴とする。
【００２２】
本発明の逆転駐車指揮システムの逆転駐車ガイド方法によると、逆転駐車指揮システムは、更に、ハンドル角度測定ユニットを含み、ハンドル角度測定ユニットは、ユーザがガイドに従ってハンドルを回転しない場合に、設定値を超えると逆転駐車指揮システムをオフすることを特徴とする。
【００２３】
本発明の逆転駐車指揮システムの逆転駐車ガイド方法によると、車両をガイドして逆転駐車作業を補助し、車両側面撮影ユニットと、変位測定ユニットと、表示ユニットと、距離測定ユニットと、最適逆転経路計算ソフトウェアがビルトインされたＣＰＵと、を含む逆転駐車指揮システムの逆転駐車ガイド方法において、逆転駐車ガイド方法は、逆転駐車指揮システムを起動するステップ１と、表示ユニットにより車両側面撮影ユニットによって撮影した映像を表示し、距離測定ユニットにより、車両と隣接車両との間の距離を算出するステップ２と、ＣＰＵは、距離測定ユニットによって算出する車両と隣接車両との間の距離と、車両の仕様とによって、最適逆転駐車経路を算出し、最適逆転駐車経路は、障害境界ラインと、屈折点と、終了点と、を有し、表示ユニットに障害境界ラインを表示するステップ３と、車両が障害境界ラインに到着して隣接車両の尾部と重ねた後、ユーザが開始ボタンを押圧して、表示ユニットにより、ユーザは、ガイドされてハンドルを限界まで回転して、車両を逆転するステップ４と、車両が移動しているときには、変位測定ユニットにより、車両の実際の逆転行進経路を見込めて、実際の逆転行進経路と逆転駐車経路を対比して、車両が屈折点に到着したときに、表示ユニットにより、ユーザは、ガイドされてハンドルを限界まで逆転して、車両を持続に逆転するステップ５と、車両が移動しているときには、変位測定ユニットにより、車両の実際の逆転行進経路を持続に見込めて、実際の逆転行進経路と逆転駐車経路を持続に対比して、車両が終了点に到着したときに、逆転駐車指揮システムをオフするステップ６と、を含むことを特徴とする。
【００２４】
本発明の逆転駐車指揮システムの逆転駐車ガイド方法によると、ステップ３において、表示ユニットには、更に、移動できる予定駐車位置が表示され、ユーザは最適な予定駐車位置を選択して移動でき、ＣＰＵは、予定駐車位置と車両の仕様とによって、最適逆転駐車経路を算出し、最適逆転駐車経路は、屈折点と、終了点と、障害境界ラインと、を有し、表示ユニットに障害境界ラインが表示されることを特徴とする。
【００２５】
本発明の逆転駐車指揮システムの逆転駐車ガイド方法によると、ユーザが最適な予定駐車位置を移動して選択するときには、障害境界ラインにより、障害境界ラインが隣接車両の後車輪と重ねることはいけないということをユーザに気付かせることを特徴とする。
【００２６】
本発明の逆転駐車指揮システムの逆転駐車ガイド方法によると、表示ユニットに表示される予定駐車位置は、表示ユニットにおいて、移動できることを特徴とする。
【００２７】
本発明の逆転駐車指揮システムの逆転駐車ガイド方法によると、表示ユニットには、予定駐車位置が複数に表示され、ユーザはこれらの予定駐車位置のうちの一つを選択できることを特徴とする。
【００２８】
本発明の逆転駐車指揮システムの逆転駐車ガイド方法によると、変位測定ユニットは、ユーザがガイドに従って車両を移動しているかを検知して、ユーザがガイドに従って車両を移動していない場合には、駐車指揮システムをオフすることを特徴とする。
【００２９】
本発明の逆転駐車指揮システムの逆転駐車ガイド方法によると、逆転駐車指揮システムは、更に、発声ユニットを含み、変位測定ユニットにより、車両が屈折点に到着したと検知する時点で、発声ユニットにより音声が発生してユーザを警告することを特徴とする。
【００３０】
本発明の逆転駐車指揮システムの逆転駐車ガイド方法によると、表示ユニットによるガイドは予告提示であり、予告提示は、数字をカウントダウンし、又はバーを減少することにより、ユーザに知らせることを特徴とする。
【００３１】
本発明の逆転駐車指揮システムの逆転駐車ガイド方法によると、変位測定ユニットは、車両速度測定装置、又はジャイロスコープであることを特徴とする。
【００３２】
本発明の逆転駐車指揮システムの逆転駐車ガイド方法によると、逆転駐車指揮システムは、更に、ハンドル角度測定ユニットを含み、ハンドル角度測定ユニットは、ユーザがガイドに従ってハンドルを回転しない場合に、設定値を超えると逆転駐車指揮システムをオフすることを特徴とする。
【発明の効果】
【００３３】
本発明の逆転駐車指揮システムの逆転駐車ガイド方法によれば、ユーザをガイドして車両を簡単で正確に駐車でき、ユーザの利用の意欲を増加できるという効果を有する。
【図面の簡単な説明】
【００３４】
【図１】本発明のシステムを示すブロック図である。
【図２】本発明の一実施例が停車状況を定義しているときに、表示ユニットに表示される画面である。
【図３】本発明の一実施例によって計画した最適な逆転駐車経路を示す模式図である。
【図４】本発明の一実施例が停車状況を定義しているときに、表示ユニットに表示される画面の別の実施例の模式図である。
【図５Ａ】本発明の一実施例が停車状況を定義しているときに、表示ユニットに表示される画面であって、予定駐車位置Ｐが調整されていない模式図である。
【図５Ｂ】本発明の一実施例が停車状況を定義しているときに、表示ユニットに表示される画面であって、予定駐車位置Ｐが予定状態に調整された模式図である。
【図６】本発明の一実施例により、最適な逆転駐車経路を計算するときの定義図１である。
【図７】本発明の一実施例により、最適な逆転駐車経路を計算するときの定義図２である。
【図８】本発明の一実施例により、最適な逆転駐車経路を計算するときの定義図３である。
【図９Ａ】本発明の一実施例が停車状況を定義しているときに、表示ユニットに表示される画面の別の実施例であって、予定駐車位置Ｐが調整されていない模式図である。
【図９Ｂ】本発明の一実施例が停車状況を定義しているときに、表示ユニットに表示される画面の別の実施例であって、予定駐車位置Ｐが予定状態に調整された模式図である。
【発明を実施するための形態】
【００３５】
以下、本発明の実施の形態を図面に基づいて説明する。
【実施例１】
【００３６】
本発明の実施例１の逆転駐車指揮システム用逆転駐車ガイド方法は、図１、図２、図３及び図９Ａと図９Ｂに示すように、車両ａをガイドして逆転駐車作業を補助する。逆転駐車指揮システムは、車両側面撮影ユニット３０と、変位測定ユニット５０と、表示ユニット４０と、最適逆転経路計算ソフトウェア２０がビルトインされたＣＰＵ１０と、を含む。逆転駐車ガイド方法は下記のステップを含む。
【００３７】
（１）逆転駐車指揮システムを起動する。
【００３８】
（２）表示ユニット４０により車両側面撮影ユニット３０によって撮影した映像を表示する。表示ユニット４０は、更に、移動できる予定駐車位置Ｐを表示でき、ユーザは最適な予定駐車位置Ｐを移動して選択できる。表示ユニット４０には、予定駐車位置Ｐが複数に表示され、ユーザはこれらの予定駐車位置Ｐのうちの一つを選択できる。図９に示すように、表示ユニット４０に表示される予定駐車位置Ｐは、表示ユニット４０において、移動できる。表示ユニット４０には、上方移動ボタン４１と、下方移動ボタン４２と、が表示される。上方移動ボタン４１と下方移動ボタン４２とにより、予定駐車位置Ｐの位置を調整できる。
【００３９】
（３）ＣＰＵ１０は、予定駐車位置Ｐと車両ａの仕様とによって、最適逆転駐車経路δを算出する。最適逆転駐車経路δは屈折点Ｚ１と終了点Ｚ２とを有する。表示ユニット４０により、ユーザは、ガイドされてハンドルを限界まで回転して、車両ａを逆転する。
【００４０】
（４）車両ａが移動しているときには、変位測定ユニット５０により、車両ａの実際の逆転行進経路を見込めて、実際の逆転行進経路と最適逆転駐車経路δを対比して、車両ａが屈折点Ｚ１に到着したときに、表示ユニット４０により、ユーザは、ガイドされてハンドルを限界まで逆転して、車両を逆転する。変位測定ユニット５０は、ユーザがガイドに従って車両ａを移動しているかを検知して、ユーザがガイドに従って車両ａを移動していない場合には、駐車指揮システムをオフする。
【００４１】
（５）車両ａが移動しているときには、変位測定ユニット５０により、車両ａの実際の逆転行進経路を持続に見込めて、実際の逆転行進経路と逆転駐車経路を持続に対比して、車両ａが終了点Ｚ２に到着したときに、逆転駐車指揮システムをオフする。
【実施例２】
【００４２】
本発明の実施例２の逆転駐車指揮システム用逆転駐車ガイド方法は、図１、図２、図４及び図５Ａと図５Ｂに示すように、車両ａをガイドして逆転駐車作業を補助する。逆転駐車指揮システムは、車両側面撮影ユニット３０と、変位測定ユニット５０と、表示ユニット４０と、最適逆転経路計算ソフトウェア２０がビルトインされたＣＰＵ１０と、を含む。逆転駐車ガイド方法は下記のステップを含む。
【００４３】
（１）逆転駐車指揮システムを起動する。
【００４４】
（２）表示ユニット４０により車両側面撮影ユニット３０によって撮影した映像を表示する。表示ユニット４０は、更に、移動できる予定駐車位置Ｐと、障害境界ラインＭと、を表示できる。ユーザは最適な予定駐車位置Ｐを移動して選択できる。ＣＰＵ１０は、選択された予定駐車位置Ｐの位置を記録する。表示ユニット４０には、予定駐車位置Ｐが複数に表示され、ユーザはこれらの予定駐車位置Ｐのうちの一つを選択できる。表示ユニット４０には、図５に示すように、上方移動ボタン４１と、下方移動ボタン４２と、開始ボタン４３と、が表示される。上方移動ボタン４１と下方移動ボタン４２とにより、予定駐車位置Ｐの位置を調整できる。開始ボタン４３を押圧することにより、逆転駐車のガイドを開始できる。表示ユニット４０に障害境界ラインＭが表示される。ユーザが最適な予定駐車位置Ｐを移動して選択するときには、障害境界ラインＭにより、障害境界ラインＭが隣接車両の後車輪と重ねることはいけないということをユーザに気付かせる。
【００４５】
（３）ＣＰＵ１０は、予定駐車位置Ｐと車両ａの仕様とによって、最適逆転駐車経路δを算出する。最適逆転駐車経路δは屈折点Ｚ１と終了点Ｚ２とを有する。表示ユニット４０に障害境界ラインＭを表示する。
【００４６】
（４）車両ａが障害境界ラインＭに到着して隣接車両の尾部と重ねた後、ユーザが開始ボタン４３を押圧して、表示ユニット４０により、ユーザは、ガイドされてハンドルを限界まで回転して、車両を逆転する。
【００４７】
（５）車両ａが移動しているときには、変位測定ユニット５０により、車両ａの実際の逆転行進経路を見込めて、実際の逆転行進経路と最適逆転駐車経路δを対比して、車両ａが屈折点Ｚ１に到着したときに、表示ユニット４０により、ユーザは、ガイドされてハンドルを限界まで逆転して、車両を持続に逆転する。
【００４８】
（６）車両ａが移動しているときには、変位測定ユニット５０により、車両ａの実際の逆転行進経路を持続に見込めて、実際の逆転行進経路と最適逆転駐車経路δを持続に対比して、車両ａが終了点Ｚ２に到着したときに、逆転駐車指揮システムをオフする。
【実施例３】
【００４９】
本発明の実施例３の逆転駐車指揮システム用逆転駐車ガイド方法は、図１、図２、図４及び図５Ａと図５Ｂに示すように、車両ａをガイドして逆転駐車作業を補助する。逆転駐車指揮システムは、車両側面撮影ユニット３０と、変位測定ユニット５０と、表示ユニット４０と、距離測定ユニット７０と、最適逆転経路計算ソフトウェア２０がビルトインされたＣＰＵ１０と、を含む。逆転駐車ガイド方法は下記のステップを含む。
【００５０】
（１）逆転駐車指揮システムを起動する。。
【００５１】
（２）表示ユニット４０により車両側面撮影ユニット３０によって撮影した映像を表示する。距離測定ユニット７０により、車両ａと隣接車両との間の距離を算出する。
【００５２】
（３）ＣＰＵは、距離測定ユニット７０によって算出する車両ａと隣接車両との間の距離と、車両ａの仕様と、駐車スペースの幅とによって、最適逆転駐車経路δを算出する。最適逆転駐車経路δは、障害境界ラインＭと、屈折点Ｚ１と、終了点Ｚ２と、を有する。表示ユニット４０に障害境界ラインＭを表示する。表示ユニット４０に開始ボタン４３が表示される。開始ボタン４３を押圧することにより、逆転駐車のガイドを開始できる。
【００５３】
（４）車両ａが障害境界ラインＭに到着して隣接車両の尾部と重ねた後、ユーザが開始ボタン４３を押圧して、表示ユニット４０により、ユーザは、ガイドされてハンドルを限界まで回転して、車両を逆転する。
【００５４】
（５）車両ａが移動しているときには、変位測定ユニット５０により、車両ａの実際の逆転行進経路を見込めて、実際の逆転行進経路と最適逆転駐車経路δを対比して、車両ａが屈折点Ｚ１に到着したときに、表示ユニット４０により、ユーザは、ガイドされてハンドルを限界まで逆転して、車両を持続に逆転する。
【００５５】
（６）車両ａが移動しているときには、変位測定ユニット５０により、車両ａの実際の逆転行進経路を持続に見込めて、実際の逆転行進経路と最適逆転駐車経路δを持続に対比して、車両ａが終了点Ｚ２に到着したときに、逆転駐車指揮システムをオフする。
【００５６】
ステップ（３）において、図４に示すように、表示ユニット４０には、更に、移動できる予定駐車位置Ｐが表示され、ユーザは最適な予定駐車位置Ｐを選択して移動できる。ＣＰＵ１０は、予定駐車位置Ｐと車両ａの仕様とによって、最適逆転駐車経路δを算出する。最適逆転駐車経路δは、屈折点Ｚ１と、終了点Ｚ２と、障害境界ラインＭと、を有する。表示ユニット４０には、上方移動ボタン４１と、下方移動ボタン４２と、開始ボタン４３と、が表示される。上方移動ボタン４１と下方移動ボタン４２とにより、予定駐車位置Ｐの位置を調整できる。開始ボタン４３を押圧することにより、逆転駐車のガイドを開始できる。表示ユニット４０に障害境界ラインＭが表示される。ユーザが最適な予定駐車位置Ｐを移動して選択するときには、障害境界ラインＭにより、障害境界ラインＭが隣接車両の後車輪と重ねることはいけないということをユーザに気付かせる。
【００５７】
上記の説明から明らかなように、本発明の逆転駐車指揮システム用逆転駐車ガイド方法によれば、ユーザをガイドして逆転駐車作業を補助できる。変位測定ユニット５０により、ユーザがガイドに従って車両ａを移動しているかを検知して、車両ａの移動経路が計画された最適逆転駐車経路δからずれたときに、駐車指揮システムがオフされる。
【００５８】
上記のガイドの提示方式は、表示ユニットにより画面を表示して、数字をカウントダウンし、又はバーを減少することにより、ユーザに知らせる。逆転駐車指揮システムには、更に、発声ユニット６０を増設してもよい。変位測定ユニット５０により、車両ａが屈折点Ｚ１に到着したと検知する時点で、発声ユニット６０により音声が発生してユーザを警告する。表示ユニット４０によるガイドは予告提示である。前記予告提示は、数字をカウントダウンし、又はバーを減少することにより、ユーザに知らせる。
【００５９】
また、変位測定ユニット５０は、ジャイロスコープ、又は車両ａに取り付けられる車両速度測定装置である。
【００６０】
変位測定ユニット５０がジャイロスコープである場合には、ＣＰＵ１０がジャイロスコープによって回転角度を測定して変位量を算出する。ＣＰＵ１０がジャイロスコープによって車両ａの変位量を計算する方式は、車両の回転角度に回転半径を掛けて、車両ａの変位量を算出することにある。
【００６１】
変位測定ユニット５０が車両ａに取り付けられる車両速度測定装置である場合に、ＣＰＵ１０は、車両速度測定装置によって測定された速度に時間を掛けて、車両の変位量を算出できる。
【００６２】
本発明の逆転駐車指揮システム用逆転駐車ガイド方法は、更に、ＣＰＵ１０と電気的に接続するハンドル角度測定ユニットを含む。ハンドル角度測定ユニットは、ハンドルの回転角度による信号を接収し、或いはジャイロスコープによって測定された車両ａの回転角度に車両速度を加えて、ハンドルの回転角度を求めることができる。車両ａの速度がゼロである場合には、加速度センサーにジャイロスコープを合せてハンドルの回転角度を求めることができる。
【００６３】
ハンドル角度測定ユニットは、ユーザがガイドに従ってハンドルを回転するかを検知して、ユーザがガイドに従って、ハンドルを回転せず、又は車両ａを移動していない場合には、駐車指揮システムをオフする。
【００６４】
図６を参照する。図６は本発明の一実施例により、最適な逆転駐車経路を計算するときの定義図１である。ユーザは、ハンドルを限界まで左へ回転し、又はハンドルを限界まで右へ回転する場合には、行進の回転経路の半径が同じである。本発明は、この特性によって最適逆転駐車経路δを算出する。
【００６５】
図７及び図８を参照する。図７は本発明の一実施例により、最適な逆転駐車経路を計算するときの定義図２であり、図８は本発明の一実施例により、最適な逆転駐車経路を計算するときの定義図３である。車両ａの仕様の定義は下記にある。
【００６６】
Ｗは車両ａの幅である。
Ａは車両ａの前輪の中心点と車両ａのヘッド部との距離である。
Ｂは車両ａの後輪の中心点と車両ａの尾部との距離である。
Ｃはタイヤの幅に車両ボディーの突出長さを加えて得られる長さである。
Ｄは車両ａの前輪軸と後輪軸との距離である。
Ｌは車両ａの長さである。
Ｒｏｕｔは車両ａの外側の前輪の回転半径である。
Ｒｉｎは車両ａの内側の前輪の回転半径である。
ｒｏｕｔは車両ａの外側の後輪の回転半径である。
ｒｉｎは車両ａの内側の後輪の回転半径である。
Ｒｃは車両ａの外前コーナーの回転半径である。
【００６７】
車両ａの回転半径の計算方式は下記にある。
車両ａの最小回転半径は外側の前輪の回転半径であり、Ｒｏｕｔは車両ａの最小回転半径である。三角関数の計算により、
【００６８】
【数１】
2014043153.tif 000003
【００６９】
図面によって計算すると、ｒｉｎ＝ｒｏｕｔ−Ｗであるが、車輪が幅を有し、車輪のシャフトが内側へ縮め、車両ボディーが突出するため、修正が必要であり、修正値をＣとすると、ｒｉｎ＝ｒｏｕｔ−Ｗ＋Ｃである。三角関数の計算により、
【００７０】
【数２】
2014043153.tif 000004
【００７１】
図８を参照する。
Ｅは車両ａと隣接車両との距離である。
Ｆは駐車スペースの幅である。
Ｘは車両ａを駐車位置に移動する水平距離である。
Ｙは車両ａを駐車位置に移動する垂直距離である。
θは車両ａの回転角度である。
ｃ１は第１の回転円心であり、右側の後輪の経路がδ１であり、回転半径が内側の後輪の半径ｒｉｎである。
ｃ２は第２の回転円心であり、右側の後輪の経路がδ２であり、回転半径が外側の後輪の半径ｒｏｕｔである。
【００７２】
最適逆転駐車経路、屈折点及び終了点を計画する計算方法は下記にある。
図８から明らかなように、車両ａを駐車位置に移動する水平距離Ｘ＝Ｅ＋Ｆ＝Ｘ１＋Ｘ２である。
Ｘ１＝ｒｉｎ（１-ｃｏｓθ）であり、
Ｘ２＝ｒｏｕｔ（１-ｃｏｓθ）であり、
Ｘ＝Ｘ１＋Ｘ２＝ｒｉｎ（１-ｃｏｓθ）＋ｒｏｕｔ（１-ｃｏｓθ）＝（ｒｉｎ＋ｒｏｕｔ）（１-ｃｏｓθ）である。
【００７３】
図７から明らかなように、車両ａを駐車位置に移動する垂直距離をＹとする。三角関数の計算により、Ｙ＝（ｒｉｎ＋ｒｏｕｔ）ｓｉｎθであり、
【００７４】
【数３】
2014043153.tif 000005
【００７５】
θは、車両ａを駐車位置に移動する水平距離に従って変化する。車両ａを駐車位置に移動する水平距離を確定したときには、上記の公式によりθを算出でき、そして最適逆転駐車経路δ、屈折点Ｚ１及び終了点Ｚ２を確定できる。
【００７６】
図６乃至図８を参照する。本発明により車両ａを路肩に駐車する場合に、逆転駐車の行進経路を計画する障害境界ラインの計算方式は下記にある。
【００７７】
Ｂは車両ａの後輪の中心点と車両ａの尾部との距離であり、Ｆは駐車スペースの幅であり、Ｒｃは車両ａの外前コーナーの回転半径であり、Ｓは回転半径Ｒｃと駐車スペースとの交点と隣接車両の尾端との距離であり、ｒｏｕｔは車両ａの外側の後輪の回転半径である。
【００７８】
三角関数の計算により、
【００７９】
【数４】
2014043153.tif 000006
【００８０】
Ｓは車両ａを前方に移動する距離であり、この逆転駐車経路によって、車両ａが隣接車両に衝突しない。求めたＳに５〜１０ｃｍの修正値を加えると、更に、車両ａが隣接車両の尾端に衝突することを回避できる。
【００８１】
上記の説明から明らかなように、本発明の逆転駐車指揮システムの逆転駐車ガイド方法によれば、駐車の状況を見て、最適逆転駐車経路δを計画して、ユーザは、ガイドに従って、ハンドルを、一方向に限界まで回転して、他方向に限界まで逆転し、そして変位測定ユニット５０により、行進距離が測定されて最適逆転駐車経路δと対比し、これにより、最適逆転駐車経路δに従うと、車両ａを正確に逆転駐車でき、逆転駐車の操作が極めて簡単となる。
【産業上の利用可能性】
【００８２】
本発明は、逆転駐車指揮システムに適用することができる。
【符号の説明】
【００８３】
１０：ＣＰＵ
２０：最適逆転経路計算ソフトウェア
３０：車両側面撮影ユニット
４０：表示ユニット
５０：変位測定ユニット
６０：発声ユニット
７０：距離測定ユニット
ａ：車両
ｂ：隣接車両
Ｍ：障害境界ライン
Ｐ：予定駐車位置
Ｚ１：屈折点
Ｚ２：終了点
δ：最適逆転駐車経路
【図１】
2014043153.tif 000007
【図２】
2014043153.tif 000008
【図３】
2014043153.tif 000009
【図４】
2014043153.tif 000010
【図５Ａ】
2014043153.tif 000011
【図５Ｂ】
2014043153.tif 000012
【図６】
2014043153.tif 000013
【図７】
2014043153.tif 000014
【図８】
2014043153.tif 000015
【図９Ａ】
2014043153.tif 000016
【図９Ｂ】
2014043153.tif 000017